(57)【要約】【課題】回路基板に実装された外部接続端子の接地を行う板金部材の位置決め精度を向上させ、組立性を向上させつつ、回路基板の組込時に外部接続端子と板金部材が接地可能な所望の付勢力を確保することができる事を可能にした撮像装置の提供。【解決手段】回路基板に実装された外部接続端子と、前記外部接続端子の外周を覆う外形筒部と、前記外形筒部に所定のバネ力で接地を行う接触部を有する板金部材と、前記回路基板及び前記板金部材を保持する固定部材を備える撮像装置において、前記板金部材は、グランド部材に接地され、前記固定部材は、前記板金部材を第１の変位位置にて支持する支持部を有し、前記板金部材は、前記回路基板組み込み時に外部接続端子の外形筒部により、第１の変位位置より変位量の大きい第２の変位位置となるように構成したことを特徴とする。【選択図】  図６（ｂ）
2014052448.tif 000002
【特許請求の範囲】
【請求項１】
回路基板（５０１）に実装された外部接続端子（２２１）と、
前記外部接続端子（２２１）の外周を覆う外形筒部（５０２）と、
前記外形筒部（５０２）に所定のバネ力で接地を行う接触部（３０７）を有する板金部材（３０１）と、
前記回路基板（５０１）及び前記板金部材（３０１）を保持する固定部材（４０１）を備える撮像装置において、
前記板金部材（３０１）は、グランド部材（４０２）に接地され、
前記固定部材（４０１）は、前記板金部材（３０１）を第１の変位位置にて支持する支持部（４１５）を有し、
前記板金部材（３０１）は、前記回路基板（５０１）組み込み時に外部接続端子（２２１）の外形筒部（５０２）により、第１の変位位置より変位量の大きい第２の変位位置となるように構成したことを特徴とする撮像装置（１０１）。
【請求項２】
前記弾性部（３０５）は、回路基板（５０１）を位置決めしている固定部材（４０１）からの延出形状（４１５）により、第１の付勢を行う事を特徴とする請求項１に記載の撮像装置（１０１）。
【請求項３】
前記延出形状（４１５）は、前記撮像装置（１０１）の端子保持部材（２０９）に設けられた端子カバー（１０８）を係止する穴部（２２３）の周囲に延出している事を特徴とする請求項１又は請求項２に記載の撮像装置（１０１）。
【請求項４】
前記板金部材（３０１）は、２つ以上の前記外部接続端子（２２１、２２２）を囲む外形筒部（５０２、６０８）と電気的に接続されている事を特徴とする請求項１乃至請求項３の何れか１項に記載の撮像装置（１０１）。
【請求項５】
前記板金部材（３０１）は、隣接するグランド部材（４０２）と電気的に接続されている事を特徴とする請求項１乃至請求項４の何れか１項に記載の撮像装置（１０１）。
【請求項６】
前記外部接続端子（２２１、２２２）は、前記回路基板（５０１）上に隣り合って実装されている事を特徴とする請求項１乃至請求項５の何れか１項に記載の撮像装置（１０１）。
【請求項７】
前記外形筒部（５０２）は、平面一面がラミネートフィルム（５０５）で覆われている事を特徴とする請求項１乃至請求項６の何れか１項に記載の撮像装置（１０１）。
【発明の詳細な説明】
【技術分野】
【０００１】
本発明は、撮像装置に関し、特に外部インターフェイスを有する撮像装置に関するものである。
【背景技術】
【０００２】
従来、デジタルカメラ等の電子機器において、人体から放出される静電気により、電子機器が故障してしまうという現象があった。
【０００３】
例えば、特許文献１では、コネクタジャックの外形筒部の３面に対して、板金の補強部材が接しており、補強部材の取り付け部をグランドに接続するという技術が開示されている。
【０００４】
また、外部接続端子から侵入する静電気によりデジタルカメラ本体が故障してしまう事があり、それを防ぐために図８のように各外部接続端子同士の外形筒部をデジタルカメラ本体の金属部品により接地する手法が採用されている。
【先行技術文献】
【特許文献】
【０００５】
【特許文献１】特開２００２−７５５５９号公報
【発明の概要】
【発明が解決しようとする課題】
【０００６】
しかしながら、上述の特許文献に開示された従来技術では、コネクタジャックの外形筒部３面に対して補強部材を当接させるため、部品精度を必要とし、同時に組み込むためのスペースが必要となる。
【０００７】
図８の従来技術では、ＰＣとのＵＳＢ（Ｕｎｉｖｅｒｓａｌ  Ｓｅｒｉａｌ  Ｂｕｓ）接続を行うためのＵＳＢコネクタが小型化しているため、接地を行うのが困難となっている。更に従来ＵＳＢコネクタの実装には部品吸着用のノズル径φ１．０ｍｍ以上の領域を確保する事が必要であるが、ＵＳＢコネクタ筒部天面は外部コネクタ保持用の板バネ形状を形成し、大きな穴が開口している為、吸着用のラミネートフィルムでカバーされていることがある。以上より、ＵＳＢコネクタは接地領域が制限されていて、側面もしくは天面のラミネートフィルムを避けた箇所に金属部品で付勢しなければならず、金属部品の付勢部の公差ばらつきにより外部接続端子を接地する位置出しを行うことが困難であった。
【０００８】
また、外部接続端子を金属部品で接地する範囲が非常に狭い上、付勢力を確保する為には、金属部品の弾性部の変位量を大きくとる必要があり、部品公差や組込ずれで位置がずれてしまうと、外部接続端子を接地するために必要な変位量を確保する事が困難であった。
【０００９】
そこで、本発明の目的は、外部接続端子の接地の位置決め精度及び組立性を向上させつつ、回路基板の組込時に外部接続端子と板金部材が電気的に接続可能な所望の付勢力を確保することができる事を可能にした撮像装置を提供する事である。
【課題を解決するための手段】
【００１０】
上記課題を解決する為に、本発明に係る撮像装置は、回路基板に実装された外部接続端子と、前記外部接続端子の外周を覆う外形筒部と、前記外形筒部に所定のバネ力で接地を行う接触部を有する板金部材と、前記回路基板及び前記板金部材を保持する固定部材を備える撮像装置において、前記板金部材は、グランド部材に接地され、前記固定部材は、前記板金部材を第１の変位位置にて支持する支持部を有し、前記板金部材は、前記回路基板組み込み時に外部接続端子の外形筒部により、第１の変位位置より変位量の大きい第２の変位位置となるように構成したことを特徴とする。
【発明の効果】
【００１１】
本発明によれば、外部接続端子を実装した回路基板と、外部接続端子の外形筒部を接地する為の板金部材が同一の剛体部品に位置決め固定されると共に、板金部材の弾性部が組み込まれる際に剛体部品からの延出形状に弾性領域内で付勢及び保持させることで、弾性部の部品の精度ずれを吸収し、回路基板を組み込むと、更に弾性部が外形筒部により弾性領域内で付勢される構成を取ることにより、板金部材の弾性部の位置決め精度及び組立性を向上させつつ回路基板の組込時に外部接続端子と板金部材が電気的に接続可能な所望の付勢力を確保することができる。
【図面の簡単な説明】
【００１２】
【図１】本発明の実施形態における撮像装置１０１の背面側の斜視図である。
【図２（ａ）】本発明の実施形態におけるジャックカバー１０８閉じ時の斜視図である。
【図２（ｂ）】本発明の実施形態におけるジャックカバー１０８開き時の斜視図である。
【図２（ｃ）】本発明の実施形態におけるジャックカバー１０８回動時の断面図である。
【図２（ｄ）】本発明の実施形態におけるＵＳＢ端子２２１にＵＳＢケーブル２２４を挿入した時の斜視図である。
【図３】本発明の実施形態における接続板金３０１の斜視図である。
【図４（ａ）】本発明の実施形態における接続板金３０１とグランド板金４０２を固定部材４０１に組み込む際の斜視図である。
【図４（ｂ）】本発明の実施形態における接続板金３０１とグランド板金４０２を固定部材４０１に組み付けた際の側面図である。
【図５】本発明の実施形態におけるＵＳＢ端子２２１が回路基板５０１に実装された際の斜視図である。
【図６（ａ）】本発明の実施形態における回路基板５０１を固定部材４０１に組み込む際の斜視図である。
【図６（ｂ）】本発明の実施形態における回路基板５０１を固定部材４０１に組み付けた際の側面図である。
【図７】本発明の実施形態における爪掛け部２２３付近の拡大図である。
【図８】従来例における外部接続端子筒部の接地の構成を示す図である。
【発明を実施するための形態】
【００１３】
以下に、本発明の好ましい実施の形態を、添付の図面に基づいて詳細に説明する。
【００１４】
図１は撮像装置１０１の背面側の斜視図である。
【００１５】
撮像装置１０１の上面には、その右上隅にシャッターボタン１０２が設けられている。その左隣にはモード選択ダイアル１０３が設けられている。モード選択ダイアル１０３は、オート、マニュアル、各種シーンモード、動画等の撮影モードを設定できるものである。撮像装置１０１の背面には、表示部１０４が設けられている。表示部１０４には、撮像された画像、撮像装置１０１に装着されたメモリカードから読み出された画像、撮像装置１０１の各種設定のための画像等が表示される。表示部１０４の右側には、各種設定等で利用される選択ボタン１０５、メニューボタン１０６が設けられ、選択ボタン１０５の中央には実行ボタン１０７が設けられている。撮像装置１０１の側面には、ジャックカバー１０８が開閉可能に取り付けられている。
【００１６】
図２（ａ）は、本実施の形態におけるジャックカバー１０８閉じ時の詳細を示す図である。
【００１７】
ジャックカバー１０８の外観側には、リモートレリーズ表記２０１、映像出力／デジタル表記２０２、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）表記２０３が刻印されている。また、ジャックカバー１０８の一端には、指掛け部２０４が形成されている。
【００１８】
図２（ｂ）は、ジャックカバー１０８を開けた時の周辺の構成を示す図である。
【００１９】
ジャックカバー１０８の撮像装置１０１内部側は、ジャックカバー軸穴部２０５、２０６、ジャックカバーバネ掛け部２０７、爪部２０８、ジャックカバー１０８閉じ時に外部端子保持部材２０９に当接する当接部２１０〜２１３により構成されており、ジャックカバー軸穴部２０５、２０６には、シャフト２１４が貫通している。また、ねじりコイルバネ２１５もシャフト２１４に貫通されて組み付けられている。ねじりコイルバネ２１５の一端は、ジャックカバーバネ掛け部２０７に掛けられており、もう一端は、外部接続端子を保持する、外部端子保持部材２０９の不図示のバネ掛け部に掛けられている。更にシャフト２１４は不図示の外部端子保持部材に設けられた軸穴部を上下２箇所に摺動勘合しており、外部端子保持部材２０９はビス２１６により、撮像装置１０１に組み付けられている。外部端子保持部材２０９には、それぞれ、外部端子接続穴２１７〜２１９が開口しており、リモートレリーズ端子２２０、ＵＳＢ端子２２１、ＨＤＭＩ端子２２２が挿入されている。そして、外部端子保持部材２０９の外部端子接続穴２１８付近には、爪部２０９を係止する為の爪掛け部２２３の穴が開いている。シャフト２１４はそれぞれ、ジャックカバー軸穴部２０５、２０６、不図示の外部端子保持部材の軸穴部２箇所を貫通していることから、ジャックカバー１０８はシャフト２１４を軸中心として回動可能である。ねじりコイルバネ２１５はジャックカバーバネ掛け部２０７に掛けられていることで、常にジャックカバー１０８が閉じる方向に付勢されており、ジャックカバー１０８閉じ時には、当接部２１０〜２１３が外部端子保持部材２０９に当接されている状態になり、ジャックカバー１０８閉じ時の位置が決まる。
【００２０】
図２（ｃ）より、ジャックカバー１０８を開ける際には、指掛け部２０４に指を掛け開けることで、爪部２０８が爪掛け部２２３を乗り越えることにより、クリック感を出しながらジャックカバー１０８を開閉する事が可能である。以上より、爪部２０８と爪掛け部２２３はそれぞれ、ジャックカバー１０８と外部端子保持部材２０９の略中央付近にあることが望ましい。
【００２１】
図２（ｄ）は、ジャックカバー１０８を開け、ＵＳＢ端子２２１にＵＳＢケーブル２２４を挿した状態の斜視図である。
【００２２】
撮像装置１０１が外部機器に接続する場合は、ジャックカバー１０８を開け、リモートレリーズ端子２２０、ＵＳＢ端子２２１、ＨＤＭＩ端子２２２それぞれに対応する接続ケーブルを挿入することでそれぞれ外部機器に接続する事ができる。例えば図２（ｄ）の様に、ＵＳＢケーブル２２４をＵＳＢ端子２２１に挿入することで、ＰＣに接続でき、撮像装置１０１にて撮影した画像データの移行を行うことができる。各接続ケーブルを挿入することから、ジャックカバー１０８の回動角は、９０°以上であることが望ましい。
【００２３】
図３は、撮像装置１０１の内部に構成されている接続板金３０１の斜視図である。
【００２４】
接続板金３０１は、接続板金位置決め穴３０２、接続板金回転止め穴３０３、接続板金ビス穴３０４、弾性部３０５、３０６、接触部３０７、３０８から構成される。弾性部３０５、３０６はそれぞれ、弾性変形可能であり、接触部３０７、３０８は接地する際に電気的に接続可能でなければならないので、接続板金３０１は、板厚が薄くめっき処理が施された板金部材である事が望ましい。
【００２５】
図４（ａ）は、固定部材４０１に接続板金３０１とグランド板金４０２を組み付ける際の斜視図である。
【００２６】
固定部材４０１は、固定部材４０１から延出した形状のグランド板金位置決めボス４０３とグランド板金回転止めボス４０４、板金部材で形成されるグランド板金４０２に開口されているグランド板金位置決め穴４０５、グランド板金回転止め穴４０６により、グランド板金４０２を位置決めし、固定部材４０１から延出するビス締め部４０７にグランド板金ビス穴４０８をビス４０９で締結することにより、グランド板金４０２の位置が固定されている。また、固定部材４０１は、固定部材４０１から延出した接続板金位置決めボス４１０と接続板金回転止めボス４１１、接続板金３０１の接続板金位置決め穴３０２、接続板金回転止め穴３０３により、接続板金３０１を位置決めし、固定部材４０１から延出するビス止め部４１２にグランド板金ビス穴４１３と接続板金ビス穴３０４をビス４１４で締めることにより、接続板金３０１の位置が固定される。
【００２７】
図４（ｂ）は、接続板金３０１を固定部材４０１に組み付けた際の側面図である。
【００２８】
グランド板金４０２は、不図示のメインシャーシと電気的に接続されていることにより撮像装置１０１の接地を行っている。そして、接続板金ビス穴３０４とグランド板金ビス穴４１３を通るようにビス止め部４１２にビス４１４でビス締めを行うことにより、接続板金３０１とグランド板金４０２が圧着され、接続板金３０１とグランド板金４０２が電気的に接続される。グランド板金４０２は接地されているので、グランド板金４０２と電気的に接続されている接続板金３０１も撮像装置１０１本体において接地することとなる。更に、接続板金３０１を組み込む際に、弾性部３０５は固定部材４０１から延出している延出リブ４１５に当接しながら組み込まれ、弾性部３０５は部品形状から延出リブ４１５の壁面位置まで弾性変形する。つまり、弾性部３０５は常に延出リブ４１５に付勢された状態で、延出リブ４１５により弾性部３０５の位置が決まる構成となる。
【００２９】
図５は、回路基板５０１にＵＳＢ端子２２１を実装した際の斜視図である。
【００３０】
ＵＳＢ端子２２１は、全周をＵＳＢ端子筒部５０２にて覆われており、ＵＳＢ端子筒部５０２がＵＳＢケーブル２２４をＵＳＢ端子２２１に挿入した時のガイド筒となっている。また、ＵＳＢ端子筒部５０２から折り曲げられた形状である、実装部５０３、５０４、更に不図示の実装部２箇所の計４箇所にて、回路基板５０１に実装されている。そして、ＵＳＢ端子筒部５０２の天面側には、実装吸着用の絶縁体のラミネートフィルム５０５が貼り付けられている。
【００３１】
図６（ａ）は、固定部材４０１に回路基板５０１を組み込む際の斜視図である。
【００３２】
回路基板５０１は、ＵＳＢ端子２２１、ＨＤＭＩ端子２２２等、電子部品が実装された状態で撮像装置１０１の背面側から真っすぐ組み込まれる。回路基板５０１が固定部材４０１に組み込まれる際に、固定部材４０１から延出する回路基板位置決めボス６０１、回路基板回転止めボス６０２と回路基板５０１側の回路基板位置決め穴６０３、回路基板回転止め穴６０４とで位置決めを行い、固定部材４０１から延出するビス締め部６０５に回路基板ビス穴６０６をビス６０７でビス締結することにより固定部材４０１に固定される。
【００３３】
図６（ｂ）は、固定部材４０１に回路基板５０１を組み付けた際の側面図である。
【００３４】
回路基板５０１は固定部材４０１に組み込まれる途中にて、接触部３０７がＵＳＢ端子筒部５０２に当接し、弾性部３０５は延出リブ４１５から離れながら更に広がる方向に弾性変形する。同時に、接触部３０８はＨＤＭＩ端子筒部６０８に当接し、弾性部３０６は弾性領域内で変形する。回路基板５０１が固定部材４０１に組み込まれた際には、接続板金３０１の弾性部３０５、３０６はそれぞれ弾性領域内で変形しつつ、接触部３０７、３０８はそれぞれＵＳＢ端子筒部５０２、ＨＤＭＩ端子筒部６０８に付勢する構成となる。以上の構成を取ることにより、接続板金３０１はＵＳＢ端子筒部５０２とＨＤＭＩ端子筒部６０８に所望の付勢力を与え、接地を行うことが可能となる。更に、弾性部３０５は、薄肉の板金部材のため部品精度が出難いが、回路基板５０１が固定部材４０１に組み込まれる前に延出リブ４１５に位置が仮固定されていることにより、接続板金３０１の部品公差がずれた際にも精度よく位置決めを行うことができ、組立性を損なうことなく、ＵＳＢ端子筒部５０２に多くの付勢力を与えることができる。よって、落下等の外部からの予期しない力が撮像装置１０１にかかってしまったとしても、ＵＳＢ端子筒部５０２と接続板金３０１を安定して接地させておくことが可能である。
【００３５】
図７は、ジャックカバー１０８を開いた際の爪掛け部２２３周辺の拡大図である。
【００３６】
ジャックカバー１０８を開閉する際の爪掛け部２２３内部は、延出リブ４１５が対応するように、外部端子保持部材２０９が固定部材４０１に組み付けられている。爪掛け部２２３の穴内部に延出リブ４１５を配置させることにより、爪掛け部２２３の内部に配置されている接続板金３０１やＵＳＢ端子２２１、回路基板５０１が外観から見えてしまうことを防ぎ、撮像装置１０１の品位を向上させる。
【００３７】
以上の方法により、ジャックカバー１０８開け時にも外観からの内部見えを隠し、撮像装置１０１の品位を向上させつつ、接続板金３０１はＵＳＢ端子筒部５０２とＨＤＭＩ端子筒部６０８を撮像装置１０１内で接地する事ができるようになる。
【００３８】
以上、本発明の好ましい実施形態について説明したが、本発明はこれらの実施形態に限定されず、その要旨の範囲内で種々の変形及び変更が可能である。
【符号の説明】
【００３９】
１０１  撮像装置
１０８  ジャックカバー
２０５、２０６  ジャックカバー軸穴部
２０７  ジャックカバーバネ掛け部
２０８  爪部
２０９  外部端子保持部材
２１４  シャフト
２１５  ねじりコイルバネ
２１７〜２１９  外部接続端子穴
２２０  リモートレリーズ端子
２２１  ＵＳＢ端子
２２２  ＨＤＭＩ端子
２２３  爪掛け部
３０１  接続板金
３０５、３０６  弾性部
３０７、３０８  接触部
４０１  固定部材
４０２  グランド板金
４１５  延出リブ
５０１  回路基板
５０２  ＵＳＢ端子筒部
５０５  ラミネートフィルム
６０８  ＨＤＭＩ端子筒部
【図１】
2014052448.tif 000003
【図２（ａ）】
2014052448.tif 000004
【図２（ｂ）】
2014052448.tif 000005
【図２（ｃ）】
2014052448.tif 000006
【図２（ｄ）】
2014052448.tif 000007
【図３】
2014052448.tif 000008
【図４（ａ）】
2014052448.tif 000009
【図４（ｂ）】
2014052448.tif 000010
【図５】
2014052448.tif 000011
【図６（ａ）】
2014052448.tif 000012
【図６（ｂ）】
2014052448.tif 000013
【図７】
2014052448.tif 000014
【図８】
2014052448.tif 000015